(57)【特許請求の範囲】
【請求項１】
ドットマトリクスディスプレイと、前記ドットマトリクスディスプレイの前方に配置され、着色が施された面を有するフロントパネル部と、を備えた電子機器において、前記フロントパネル部の着色が施された面は、少なくとも前記ドットマトリクスディスプレイの光が投影される範囲に、前記着色が施された着色部と当該着色部中に設けた複数の孔からなる前記光を透過させる透光部とを所定のパターンで形成し、
前記ドットマトリックスディスプレイの画素の大きさよりも前記孔の大きさを小さくするとともに、前記ドットマトリックスディスプレイの画素の大きさよりも前記孔の間隔を小さくしたことを特徴とする電子機器。
【請求項２】
前記所定のパターンは、前記複数の孔の各孔の大きさを略同一とし、前記複数の孔の各孔の配列方向における間隔を略同一としたパターンであることを特徴とする請求項１に記載の電子機器。
【請求項３】
前記所定のパターンは前記複数の孔を等間隔で前記着色部中に設けた格子状のパターンであることを特徴とする請求項１又は２に記載の電子機器。
【請求項４】
前記孔は、円形であることを特徴とする請求項１〜３のいずれか１項に記載の電子機器。
【請求項５】
前記透光部は、非着色の透明な複数の孔から形成することを特徴とする請求項１〜４のいずれか１項に記載の電子機器。
【請求項６】
前記透光部はレーザー加工により形成されたものであることを特徴とする請求項１〜５のいずれか１項に記載の電子機器。
【請求項７】
前記フロントパネル部への前記着色は、印刷によって行うことを特徴とする請求項１〜６のいずれか１項に記載の電子機器。
【請求項８】
前記印刷によって、当該電子機器についてのロゴを印刷することを特徴とする請求項７に記載の電子機器。
【請求項９】
前記ドットマトリクスディスプレイの画素数よりも孔の数が多くなるように前記孔の大きさと間隔を設定したことを特徴とする請求項１〜８のいずれか１項に記載の電子機器。
【請求項１０】
前記孔は円形であり、その直径は、１０μｍから３００μｍの範囲内の大きさであることを特徴とする請求項１〜９のいずれか１項に記載の電子機器。
【請求項１１】
前記孔の大きさは前記ドットマトリクスディスプレイの画素の大きさの２分の１以下とすることを特徴とする請求項１〜１０のいずれか１項に記載の電子機器。
【発明の詳細な説明】
【技術分野】
【０００１】
本発明は、ナビゲーション装置、マイクロ波検出器、ドライブレコーダーなど発光体を制御することにより情報の提示を行う発光部を有する各種の電子機器に関する。
【背景技術】
【０００２】
従来から、液晶ディスプレイや有機ＥＬディスプレイ等の発光体を制御することにより情報を提示する発光画面を備え、この発光画面の前面に、発光画面よりも大きなフロントパネルを備えた電子機器は数多く知られている（例えば特許文献１）。これらの電子機器は、内部の電子基板や配線を隠すために、発光画面に対応する領域以外のフロントパネル前面に、光を透過しない黒色等の着色が施されているのが一般的である。
【０００３】
一方、液晶ディスプレイや有機ＥＬディスプレイ等の情報を提示する発光画面に対応する領域のフロントパネル前面は、光を透過させる必要があるため、発光画面に対応する領域以外のフロントパネル前面と同色の着色を施すことはできず、当該領域を透明としたり、あるいは、当該領域を繰り抜いてディスプレイを直接前面に露出させる構成としていた。
【先行技術文献】
【特許文献】
【０００４】
【特許文献１】特開２０１０−１５１６６４号公報
【発明の概要】
【発明が解決しようとする課題】
【０００５】
しかしながら、電子機器を使用していない電源ＯＦＦの状態では、発光画面は発光していないため、このような構成とすると発行画面に対応する領域のフロントパネル前面と発光画面に対応する領域以外のフロントパネル前面との境目の輪郭が明確に視認され、見栄えが悪く、安っぽさを感じさせるものであった。
【０００６】
本発明は、上記従来の課題を解決するものであり、電子機器を使用していない電源ＯＦＦの状態でフロントパネル前面から発光体に対応する領域の輪郭が視認されにくくなる電子機器を提供することを目的とする。
【課題を解決するための手段】
【０００７】
上記従来の課題を解決する為に、本発明に係る電子機器は、（１）発光体を制御することにより情報の提示を行う発光部と、該発光部の前方に配置され、着色が施された面を有するフロントパネル部と、を備えた電子機器において、前記フロントパネル部の着色が施された面は、少なくとも前記発光部の光が投影される範囲に、前記着色が施された着色部と当該着色部中に設けた複数の孔からなる前記光を透過させる透光部とを所定のパターンで形成することを特徴としている。このように構成することによって、フロントパネル部の前面は、発光部に対応する領域との境目が視認されにくくなることから、見栄えを良くすることができ、電子機器に高級感を持たせることができる。尚、ここで「発光体を制御する」とは、例えばＬＥＤのようにそれ自体が発光するものを制御する場合だけでなく、液晶のようにバックライトからの光の透過量を制御するものも含む。
【０００８】
（２）前記所定のパターンは、前記複数の孔の各孔の大きさを略同一とし、前記複数の孔の各孔の配列方向における間隔を略同一としたパターンであることを特徴としている。所定のパターンは例えば複数の孔をランダムな大きさとして、複数の孔の間隔をランダムな間隔としたパターンとしてもよいが、複数の孔の各孔の大きさを略同一とし、複数の孔の各孔の配列方向における間隔を略同一としたパターンであることが好ましい。このようにすれば、発光部の光が均一に透過するので、フロントパネル前面から視認した際にムラになりにくく特によい。各孔の配列方向における間隔とは、例えば上下方向と左右方向に各孔が配列される場合、その上下方向の間隔をすべて第一の所定値ａとしてその左右方向の間隔をすべて第二の所定値ｂとするとよい。
【０００９】
（３）前記所定のパターンは前記複数の孔を等間隔で前記着色部中に設けた格子状のパターンであることを特徴としている。所定のパターンは例えば複数の孔をランダムに着色部中に設けたパターンとしてもよいが、複数の孔を等間隔で着色部中に設けた格子状のパターンとすることにより、発光部の光が均一に透過するので、フロントパネル前面から視認した際にムラになりにくく特によい。特に発光部が後述する（６）のように、ドットマトリクスディスプレイで形成されている場合には、一層ムラになりにくくすることができる。
【００１０】
（４）前記孔は、円形であることを特徴としている。孔の形状は、例えば、三角形、四角形、六角形等の多角形、楕円形等、任意の形状とすることもできるが、円形が好ましい。例えば、後述する（９）のように発光部がドットマトリクスディスプレイで形成され、（１０）の「画素構成に対応する決定」として、例えばドットマトリクスディスプレイの画素の縦横のアスペクト比が１：１の場合に、孔を円形にすると、縦横の透光の度合いが同一となり、ムラがなく視認できるとともに、他の形状に比べ、例えば（６）のような方法などで透光部を形成することが容易にできる。
【００１１】
（５）前記透光部は、非着色の透明な複数の孔から形成することを特徴としている。したがって、発光部の光の色が変わることなく、透過するので、発光部が所定の色で発光する場合に当該所定の色をそのままフロントパネル前面から視認することができる。
【００１２】
（６）前記透光部はレーザー加工により形成されたものであることを特徴としている。したがって、レーザー加工により微細な孔を容易に形成することができ、製造コストの低減を図ることができる。
【００１３】
（７）前記フロントパネル部への前記着色は、印刷によって行うことを特徴としている。印刷は、例えば写真や絵などを多色で印刷してもよいが、発光体の発光時に透過する光が見やすいように印刷の色や内容とすることが望ましい。そのため、単色印刷が好ましく、特に暗い色が望ましい。最も望ましいのは、黒色の単色による印刷である。また印刷の内容は、無地が最も望ましく、ついで、できるだけシンプルな所定の繰り返しパターンが望ましい。所定の繰り返しパターンとは、ある範囲のパターンが繰り返して現れるパターンであり、例えばチェック柄のパターンなどが挙げられる。
【００１４】
（８）前記印刷によって、当該電子機器についてのロゴを印刷することを特徴としている。従来では、電子機器についてのロゴは、情報提示の邪魔にならないフロントパネル部の端部に印刷されていたが、本発明では、フロントパネル部の中央部に印刷することも可能である。
【００１５】
（９）前記発光部はドットマトリクスディスプレイで形成されることを特徴としている。ドットマトリクスディスプレイによれば、マトリクスに配置された発光体を制御することによりディスプレイの表示の内容を任意の内容に変更することが容易にできる。例えば、各種の情報を切り替えて表示させることが容易にできる。また、ドットマトリクスの一部のみ発光させることで、その部分にのみ発光体が存在するかのような表示を行うことが容易にできる。そのため、発光部に対応する領域の輪郭が視認されにくくなる。尚、ドットマトリクスディスプレイとしては、液晶ディスプレイやＥＬディスプレイなど各種のディスプレイを用いるとよい。
【００１６】
（１０）前記孔の大きさと間隔は、前記ドットマトリクスディスプレイの画素構成に対応して決定されていることを特徴としている。例えば、後述する（１１）〜（１３）の態様で示すように画素構成に対応して孔の大きさと間隔が決定されることによって、光の透過量のムラを少なくすることができる。
【００１７】
（１１）前記孔の大きさと間隔を前記ドットマトリクスディスプレイの画素構成に対応して決定する構成として、前記ドットマトリクスディスプレイの画素の大きさと前記孔の大きさを略同一とするとともに、前記ドットマトリクスディスプレイの画素間隔と前記孔の間隔を略同一とすることを特徴としている。このようにすれば、フロントパネル部の孔の位置とドットマトリックスディスプレイの画素の位置とを合わせることによって、各画素の光の多くがフロントパネル前面から透過され、各画素の光の透過量のムラもなくなる。
【００１８】
（１２）前記孔の大きさと間隔を前記ドットマトリクスディスプレイの画素構成に対応して決定する構成として、前記ドットマトリックスディスプレイの画素の大きさよりも前記孔の大きさを小さくするとともに、前記ドットマトリックスディスプレイの画素の大きさよりも前記孔の間隔を小さくしたことを特徴としている。（１１）のようにするとフロントパネル部の孔の位置とドットマトリックスディスプレイの画素の位置とを合わせなければ、最適な透過光が得られない。そこで（１２）のようにするとよい。このようにすれば、位置合わせが不要で、全ての画素の光を透過させることができる。特に孔の大きさは画素の大きさの２分の１以下とするとよい。
【００１９】
（１３）前記孔の大きさと間隔を前記ドットマトリクスディスプレイの画素構成に対応して決定する構成として、前記ドットマトリクスディスプレイの画素数よりも孔の数が多くなるように前記孔の大きさと間隔を設定したことを特徴としている。このようにすることによって、ドットマトリクスディスプレイの画素数に対応した鮮明な画面で情報の提示を行うことができる。
【００２０】
（１４）前記孔は円形であり、その直径は、１０μｍから３００μｍの範囲内の大きさであることを特徴としている。この範囲内の大きさとすることで、孔の存在をフロントパネル前面から認識しにくくなる。また、例えば前記ドットマトリックスディスプレイの画素の大きさに対応した孔を前記レーザー加工によって容易に形成することもできる。
【発明の効果】
【００２１】
本発明に係る電子機器は、フロントパネル部の前面が、発光部に対応する領域との境目が視認されにくくなることから、見栄えを良くすることができ、電子機器に高級感を持たせることができる。また、複数の孔を等間隔で着色部中に設けた格子状のパターンとすることにより、発光部の光が均一に透過するので、フロントパネル前面から視認した際のムラを無くすことができる。
【００２２】
また、レーザー加工により微細な孔を容易に形成することができ、製造コストの低減を図ることができる。さらに、画素構成に対応して孔の大きさと間隔が決定されることによって、光の透過量のムラを少なくすることができる。
【図面の簡単な説明】
【００２３】
【図１】本発明の第１実施形態の電子機器を示す斜視図である。
【図２】本発明を構成するフロントパネル部の第１実施形態を示す説明図である。
【図３】本発明を構成するフロントパネル部の一部拡大図である。
【図４】本発明を構成するフロントパネル部の製造方法を示す説明図である。
【図５】本発明を構成するフロントパネル部の表示状態を示す説明図である。
【図６】従来の電子機器のフロントパネル部の表示状態を示す説明図である。
【発明を実施するための形態】
【００２４】
図１は、本発明の第１実施形態の電子機器を示す斜視図であり、図２は、本発明を構成するフロントパネルの第１実施形態を示す説明図である。図１に示すように、電子機器１０は、ナビゲーション装置、マイクロ波検出器、ドライブレコーダー等、発光体を制御することにより情報の提示を行う発光部２を有するものである。また、発光部２の前方には、印刷により着色が施された面を有するフロントパネル部１が配置されている。
【００２５】
また、後述するように、フロントパネル部１は、着色が施された面であって、発光部２の光が投影される範囲３に、着色が施された着色部と当該着色部中に設けた複数の孔からなる光を透過させる透光部とが所定のパターンで形成されている。
【００２６】
尚、フロントパネル部１の全面に着色を施し、発光部２の光が投影されない範囲４に、着色が施された着色部と当該着色部中に設けた複数の孔からなる光を透過させる透光部とを所定のパターンで形成する構成としてもよく、これも本発明に含まれる。
【００２７】
また、発光部２は、ドットマトリクスディスプレイで形成するのが好適である。ドットマトリクスディスプレイによれば、マトリクスに配置された発光体を制御することによりディスプレイの表示の内容を任意の内容に変更することが容易にできる。例えば、各種の情報を切り替えて表示させることが容易にできる。また、ドットマトリクスの一部のみ発光させることで、その部分にのみ発光体が存在するかのような表示を行うことが容易にできる。そのため、発光部２に対応する領域の輪郭が視認されにくくなる。尚、ドットマトリクスディスプレイの例として、液晶ディスプレイやＥＬディスプレイなど各種のディスプレイを挙げることができる。
【００２８】
また、フロントパネル部１への着色は、印刷によって行うことが好適である。印刷は、例えば写真や絵などを多色で印刷してもよいが、発光部２の発光体の発光時に透過する光が見やすい印刷の色や内容とすることが望ましい。そのため、単色印刷が好ましく、特に暗い色が望ましい。最も望ましいのは、黒色の単色による印刷である。また印刷の内容は、無地が最も望ましく、ついで、できるだけシンプルな所定の繰り返しパターンが望ましい。所定の繰り返しパターンとは、ある範囲のパターンが繰り返して現れるパターンであり、例えばチェック柄のパターンなどが挙げられる。
【００２９】
図３は、本発明を構成するフロントパネル部１の一部拡大図である。この図に示すように、フロントパネル部１は、着色が施された着色部５と当該着色部５中に設けた複数の孔６，６，６からなる光を透過させる透光部７とが所定のパターンで形成されている。
【００３０】
ここで、孔６は、三角形、四角形、六角形等の多角形、楕円形等、任意の形状とすることもできるが、図３に示すように、円形が好ましい。また、孔６の直径ｃは、１０μｍから３００μｍの範囲内の大きさであることが好適である。この範囲内の大きさとすることで、孔の存在をフロントパネル前面から認識しにくくなる。また、例えばドットマトリックスディスプレイの画素の大きさに対応した孔６をレーザー加工によって容易に形成することもできる。
【００３１】
また、透光部７は、非着色の透明な複数の孔６，６から形成するのが好適である。このように構成することによって、発光部２の光の色が変わることなく、透過するので、発光部２が所定の色で発光する場合に当該所定の色をそのままフロントパネル部１の前面から視認することができる。
【００３２】
また、着色部５と透光部７とで形成される所定のパターンの一例として、複数の孔６，６の各孔の大きさｃを略同一とし、この複数の孔６，６の各孔の配列方向における間隔ａ及びｂを略同一としたパターンにすると好適である。このようにすれば、発光部２の光が均一に透過するので、フロントパネル部１の前面から視認した際にムラになりにくく特によい。各孔６，６の配列方向における間隔とは、例えば上下方向と左右方向に各孔が配列される場合、その上下方向の間隔をすべてａとしてその左右方向の間隔をすべてｂとするものである。
【００３３】
また、着色部５と透光部７とで形成される所定のパターンの他例として、複数の孔６，６を、等間隔で着色部５中に設けた格子状のパターン（ａ＝ｂ）とすることも好適である。このようにすれば、発光部２の光が均一に透過するので、フロントパネル部１の前面から視認した際にムラになりにくく特によい。特に発光部２がドットマトリクスディスプレイで形成されている場合には、一層ムラになりにくくすることができる。
【００３４】
また、複数の孔６，６の大きさｃと、間隔ａ，ｂは、ドットマトリクスディスプレイの画素構成に対応して決定する構成としてもよい。例えば、後述する実施例１〜実施例３の態様で示すように画素構成に対応して孔６の大きさｃと間隔ａ，ｂとを決定することによって、光の透過量のムラを少なくすることができる。尚、ドットマトリクスディスプレイの画素の縦横のアスペクト比が１：１の場合に、孔６を円形にすると、縦横の透光の度合いが同一となり、ムラがなく視認できる。
【００３５】
（実施例１）ドットマトリクスディスプレイの画素の大きさと孔６の大きさｃを略同一とするとともに、ドットマトリクスディスプレイの画素間隔と孔６の間隔ａ，ｂを略同一とする。このようにすれば、フロントパネル部１の孔６の位置とドットマトリックスディスプレイの画素の位置とを合わせることによって、各画素の光の多くがフロントパネル部１の前面から透過され、各画素の光の透過量のムラもなくなる。
【００３６】
（実施例２）ドットマトリックスディスプレイの画素の大きさよりも孔６の大きさｃを小さくするとともに、ドットマトリックスディスプレイの画素の大きさよりも孔６の間隔ａ，ｂを小さくする。実施例１のようにすると、フロントパネル部１の孔６の位置とドットマトリックスディスプレイの画素の位置とを合わせなければ、最適な透過光が得られない。そこで実施例２のようにするとよい。このようにすれば、位置合わせが不要で、全ての画素の光を透過させることができる。特に孔６の大きさｃは画素の大きさの２分の１以下とするとよい。
【００３７】
（実施例３）ドットマトリクスディスプレイの画素数よりも孔６の数が多くなるように孔６の大きさｃと間隔ａ，ｂを設定する。このようにすることによって、ドットマトリクスディスプレイの画素数に対応した鮮明な画面で情報の提示を行うことができる。
【００３８】
図４は、本発明を構成するフロントパネル部１の製造方法を示す説明図である。この図を用いてフロントパネル部１の製造方法を説明する。まず、フロントパネル部１には、光を透過する透明な板８の上面に、印刷により着色が施された着色部５が形成されている。この着色部５に、レーザー装置９によって、レーザー光１１，１１を照射する。すると、レーザー光１１が照射された着色部５の着色面は加熱され、昇華されることによって、孔６が形成される。このように、レーザー加工によりフロントパネル部１の透光部７を製作することによって、微細な孔６を容易に形成することができ、製造コストの低減を図ることができる。
【００３９】
図５（ａ）は、発光部２が発光している場合に、本発明を構成するフロントパネル部１を見た状態を示し、図５（ｂ）は、発光部２が発光していない場合に、本発明を構成するフロントパネル部１を見た状態の例を示している。また、図６は、発光部が発光していない場合に、従来のフロントパネル部を見た状態を示している。
【００４０】
図５（ａ）に示すように、発光部２が発光している場合では、フロントパネル部１に形成されている複数の孔６，６で形成された透光部７から光が透過されることによって、表示されている内容を明確に視認することができる。一方、発光部２が発光していない場合では、フロントパネル部１に形成されている複数の孔６，６で形成された透光部７から光が透過することはないので、フロントパネル部１の着色部５の着色された状態がそのまま視認される。したがって、図５（ｂ）のように、黒色の背景の上に、白色で電子機器に関するロゴを印刷した着色部７を製作すれば、ロゴを明確に視認することができると共に、発光部２に対応する領域との境目が視認されにくくなる。一方、図６で示す従来のフロントパネル部では、発光部に対応する領域は、透明であるため、電源ＯＦＦの状態では境目が明確に視認されることとなる。
【符号の説明】
【００４１】
１  フロントパネル部
２  発光部
３  光が投影される範囲
４  光が投影されない範囲
５  着色部
６  孔
７  透光部
８  透明な板
９  レーザー装置
１０  電子機器
１１  レーザー光
【図１】
0005688573.tif 000002
【図２】
0005688573.tif 000003
【図３】
0005688573.tif 000004
【図４】
0005688573.tif 000005
【図５】
0005688573.tif 000006
【図６】
0005688573.tif 000007